(57)【要約】      （修正有）【課題】車両のフレームによる死角を解消させ、事故が多発する交差点などで事故の発生を減少させる。【解決手段】運転者の左右中央線上で、車両１の前方のボンネット２上に、中央から左右方向に突出した凸形湾曲状ミラー３を、運転者に向けて設けたミラー付き車両５である。この凸形湾曲状ミラーにより車両のフレームによる死角を解消することができるとともに、車両のフレームによる死角であって視界が遮られていた箇所を凸形湾曲状ミラーにより安全確認することができるので、事故が多発する交差点などで事故の発生を減少させることができる。【選択図】図１
2010023816.tif 000002
【特許請求の範囲】
【請求項１】
運転者の左右中央線上で、車両の前方のボンネット上に、中央から左右方向に突出した凸形湾曲状ミラーを、運転者に向けて設けたことを特徴とするミラー付き車両。
【請求項２】
中央から左右方向に突出した凸形湾曲状ミラーが、ボンネット上に磁石により取付けたことを特徴とする請求項１記載のミラー付き車両。
【請求項３】
中央から左右方向に突出した凸形湾曲状ミラーが、ボンネット上に接着剤により取付けたことを特徴とする請求項１記載のミラー付き車両。
【請求項４】
中央から左右方向に突出した凸形湾曲状ミラーが、ボンネット上に両面接着テープにより取付けたことを特徴とする請求項１記載のミラー付き車両。
【請求項５】
中央から左右方向に突出した凸形湾曲状ミラーが、ボンネット上にボルトとナットで取付けたことを特徴とする請求項１記載のミラー付き車両。
【請求項６】
運転者の左右中央線上で、車両の前方屋根に支持部材の基部を取付けるとともに車両の前方屋根に屋根より前方に突出した支持部材の先端に、中央から左右方向に突出した凸形湾曲状ミラーを、運転者に向けて設けたことを特徴とするミラー付き車両。
【請求項７】
支持部材の基部が、車両の前方屋根に着脱自在具で取付けたことを特徴とする請求項６記載のミラー付き車両。
【発明の詳細な説明】
【技術分野】
【０００１】  この発明は、自動車などの車両に運転者が運転する際に、死角をなくするミラー付き車両に係るものである。
【背景技術】
【０００２】  従来の自動車などの車両は、車両の前面ガラスの両側には金属製フレームが存在しているので、このフレームが運転者の斜め前方などの視界を遮っている。【０００３】  この従来の自動車などの車両では、車両のフレームが運転者の斜め前方などの視界を遮られるためにこの方向の安全を運転中に確認できないという問題点があったし、更に、従来の公知文献ではフレームによる死角を解消するために凸面ミラーと凹面ミラーとの２個のミラーを運転者脇のドアやフレームに設けたものがあるが、ミラーが２個など必要部材が多くなるとともに価格が高くなるという問題点があった。
【特許文献１】  特開２００６−２３１９９８
【発明の開示】
【発明が解決しようとする課題】
【０００４】  この発明は、従来の自動車などの車両が有する前記の問題点を解消し、車両のフレームによる死角を解消することや事故が多発する交差点などで事故の発生を減少することなどである。
【問題を解決するための手段】
【０００５】  この発明のミラー付き車両は、運転者の左右中央線上で、車両の前方のボンネット上又は車両の前方屋根に屋根より前方に、中央から左右方向に突出した凸形湾曲状ミラーを、運転者に向けて設けたものである。
【発明の効果】
【０００６】  この発明のミラー付き車両は、運転者の左右中央線上で、車両の前方のボンネット上に、中央から左右方向に突出した凸形湾曲状ミラーを、運転者に向けて設けたから、この凸形湾曲状ミラーにより車両のフレームによる死角を解消することができるとともに車両のフレームによる死角であって視界が遮ぎられていた箇所を凸形湾曲状ミラーにより安全確認することができるので、事故が多発する交差点などで事故の発生を減少することができるという効果がある。更に、凸形湾曲状ミラーを車両の前方のボンネット上に簡単で価格も比較的安く設けることができる。
【０００７】  請求項２のミラー付き車両は、中央から左右方向に突出した凸形湾曲状ミラーが、ボンネット上に磁石により取付けたから、この凸形湾曲状ミラーを磁石によりボンネット上に簡単で比較的安く取付けることができるし、凸形湾曲状ミラーが使用しているうちに損傷などして交換する際に、古い凸形湾曲状ミラーを磁石と一緒にボンネット上から極めて簡単に取外すことにより古い凸形湾曲状ミラーを簡単に取外すことができるとともに下部に磁石を有する新しい凸形湾曲状ミラーをボンネット上に極めて簡単に取付けることができる。
【０００８】  請求項３のミラー付き車両は、中央から左右方向に突出した凸形湾曲状ミラーが、ボンネット上に接着剤により取付けたから、この凸形湾曲状ミラーをボンネット上に接着剤により簡単で比較的安く取付けることができるし、凸形湾曲状ミラーが使用しているうちに損傷などして交換する際は、ボンネット上に接着している古い凸形湾曲状ミラーをボンネットから剥がして取外し、新しい凸形湾曲状ミラーをボンネット上に接着剤により比較的簡単で安く取付けることができる。
【０００９】  請求項４のミラー付き車両は、中央から左右方向に突出した凸形湾曲状ミラーが、ボンネット上に両面接着テープにより取付けたから、この凸形湾曲状ミラーをボンネット上に両面接着テープにより比較的簡単で安く取付けることができるし、凸形湾曲状ミラーが使用しているうちに損傷などして交換する際に、ボンネット上に両面接着テープで接着している古い凸形湾曲状ミラーを剥がして取外し、新しい凸形湾曲状ミラーをボンネット上に両面接着テープより比較的簡単で安く取付けることができる。
【００１０】  請求項５のミラー付き車両は、中央から左右方向に突出した凸形湾曲状ミラーが、ボンネット上にボルトとナットで取付けたから、この凸形湾曲状ミラーをボルトとナットでボンネット上に比較的簡単で安く取付けることができるし、凸形湾曲状ミラーが使用しているうちに損傷などして交換する際に、古い凸形湾曲状ミラーを取付けているボルトとナットを取外すことにより古い凸形湾曲状ミラーをボンネット上から簡単に取外すことができるとともに新しい凸形湾曲状ミラーをボンネット上にボルトとナットとで簡単に取付けることができる。
【００１１】  請求項６のミラー付き車両は、運転者の左右中央線上で、車両の前方屋根に支持部材の基部を取付けるとともに車両の前方屋根に屋根より前方に突出した支持部材の先端に、中央から左右方向に突出した凸形湾曲状ミラーを、運転者に向けて設けたから、この支持部材の先端に凸形湾曲状ミラーにより車両のフレーム枠による死角を解消することができるとともに車両のフレームによる死角であって視界が遮ぎられていた箇所を凸形湾曲状ミラーにより安全確認することができるので、事故が多発する交差点などで事故の発生を減少することができるという効果がある。
【００１２】  請求項７のミラー付き車両は、支持部材の基部を車両の前方屋根に着脱自在具で取付けたから、車両の前方屋根にミラー付支持部材の基部を取付け際は、着脱自在具で簡単で比較的安く取付けることができるし、ミラーが使用しているうちに損傷などして交換する際は、ミラー付支持部材の基部を取付けている着脱自在具を取外すことによりミラー付支持部材を高さが高い車両の前方屋根から簡単に取外すことができるとともに新しいミラー付支持部材を車両の前方屋根に着脱自在具で簡単に取付けることができる。
【発明を実施するための最良の形態】
【００１３】  ミラー付き車両は、運転者の左右中央線上で、車両の前方のボンネット上に、中央から左右方向に突出した凸形湾曲状ミラーを、運転者に向けて設けたものである。
【実施例１】
【００１４】  ミラー付き自動車は、図１から図４に図示したように、自動車１のボンネット２上に、運転者の左右中央線上で、中央から左右方向に突出した凸形湾曲状ミラー３を、凸形湾曲状ミラー３の背面側下部に取付けた磁石４で取付けたミラー付き自動車５である。【００１５】  この実施例１のミラー付き自動車５は走行時にフレーム６より死角Ａになっている箇所もこの凸形湾曲状ミラー３により図５図示のように運転者の目に投影Ｂすることができるので、安全に運転することができる。なお、この実施例１のミラー付き自動車では凸形湾曲状ミラーを磁石でボンネット上に取付けたミラー付き自動車について説明したが、磁石に代えて接着剤や両面接着テープやボルトとナットなどで取付けてもよい。
【実施例２】
【００１６】  前記実施例１と同様の凸形湾曲状ミラー１３を、運転者の左右中央線上で、自動車１１の前方屋根１２に支持部材１４の基部１４′を取付けて前方屋根に屋根より前方に突出した支持部材１４の先端１４″に、運転者に向けて取付けたミラー付き自動車１５である。【００１７】  この実施例２のミラー付き自動車１５は前記実施例１と同様に走行時にフレームより死角になっている箇所もこの凸形湾曲状ミラー１３により運転者の目に投影することができるので、安全に運転することができる。なお、支持部材の基部を自動車の前方屋根に着脱自在具で取付けるとよい。
【図面の簡単な説明】
【００１８】
【図１】本発明品の側面図である。
【図２】同じく正面図である。
【図３】ミラーの拡大平面図である。
【図４】ミラーの拡大正面図である。
【図５】運転席などの略式平面図である。
【図６】別の本発明品の側面図である。
【図７】同じく正面図である。
【符号の説明】
【００１９】１  自動車
２  ボンネット
３  凸形湾曲状ミラー
４  磁石
５  ミラー付き自動車
【図１】
2010023816.tif 000003
【図２】
2010023816.tif 000004
【図３】
2010023816.tif 000005
【図４】
2010023816.tif 000006
【図５】
2010023816.tif 000007
【図６】
2010023816.tif 000008
【図７】
2010023816.tif 000009
【手続補正書】
【提出日】平成20年8月26日(2008.8.26)
【手続補正１】
【補正対象書類名】明細書
【補正対象項目名】００１５
【補正方法】変更
【補正の内容】
【００１５】  この実施例１のミラー付き自動車５は走行時にフレーム６より死角Ａになっている箇所もこの凸形湾曲状ミラー３により図５図示のように運転者の頭７の目８に投影Ｂすることができるので、安全に運転することができる。なお、この実施例１のミラー付き自動車では凸形湾曲状ミラーを磁石でボンネット上に取付けたミラー付き自動車について説明したが、磁石に代えて接着剤や両面接着テープやボルトとナットなどで取付けてもよい。
【手続補正２】
【補正対象書類名】図面
【補正対象項目名】図５
【補正方法】変更
【補正の内容】
【図５】
2010023816.tif 000010